(57)【要約】【課題】  吊りロープを介して吸込みグリルを昇降可能な天井埋込型空気調和装置において、吊りロープに損傷を生じた場合の吸込みグリルの動きを抑えるとともに、脱落を確実に防止する。【解決手段】  センターパネル１７の長手方向の一側縁及び他側縁に沿ってそれぞれ吊りロープを案内する下ロープガイド３０、４０を設け、昇降装置２３から延びる吊りロープ１９Ａ、１９Ｃを、センターパネル１７の一側縁に設けたロープガイド３０、４０にループ状に掛け渡し、さらに、昇降装置２３から延びる吊りロープ１９Ｂ、１９Ｄを、センターパネル１７の他側縁に設けた下ロープガイド３０、４０にループ状に掛け渡す。【選択図】      図３
2007093050.tif 000002
【特許請求の範囲】
【請求項１】
熱交換器、及び送風機が収納された本体に化粧パネルを設け、この化粧パネルには昇降装置により巻き取り・繰り出しされる吊りロープを介して昇降可能に吸込みグリルを設けた天井埋込型空気調和装置において、
前記吸込みグリルの長手方向の一側縁及び他側縁に沿ってそれぞれ前記吊りロープを案内するロープガイドを設け、前記一側縁に設けた複数のロープガイドに前記昇降装置から延びる前記吊りロープの一方をループ状に掛け渡し、前記他側縁に設けた複数のロープガイドに前記昇降装置から延びる前記吊りロープの他方をループ状に掛け渡したことを特徴とする天井埋込型空気調和装置。
【請求項２】
前記ロープガイドは、前記昇降装置から下方に延びる前記吊りロープを略直角に方向を変えて前記吸込みグリルの短手方向内側に案内する第１の湾曲部と、この第１の湾曲部に沿って案内された前記吊りロープを再び略直角に方向を変えて前記吸込みグリルの長手方向内側に案内する第２の湾曲部と、を備えることを特徴とする請求項１記載の天井埋込型空気調和装置。
【請求項３】
前記第１の湾曲部に案内された前記吊りロープの下方へのずれを規制する下ガイドを備えたことを特徴とする請求項２記載の天井埋込型空気調和装置。
【請求項４】
前記第２の湾曲部に案内された前記吊りロープの上方へのずれを規制する上ガイドを備えたことを特徴とする請求項２又は３記載の天井埋込型空気調和装置。
【請求項５】
前記第１の湾曲部に吊りロープ案内溝を設けたことを特徴とする請求項１乃至４のいずれか一項記載の天井埋込型空気調和装置。
【請求項６】
前記ループ状に掛け渡された吊りロープのそれぞれは、２本の吊りロープを、スプリングを介して連結して構成されていることを特徴とする請求項１乃至５のいずれか一項記載の天井埋込型空気調和装置。
【発明の詳細な説明】
【技術分野】
【０００１】
本発明は、吊りロープを介して昇降可能に吸込みグリルを設けた天井埋込型空気調和装置に関する。
【背景技術】
【０００２】
従来、天井埋込型空気調和装置において、吸込空気の塵等を除去するフィルタを備えた吸込みグリルを吊りロープ（紐）によって吊り下げ、この吊りロープを巻き取り及び繰り出すことによって吸込グリルを昇降させ、フィルタ交換作業等のメンテナンスを容易にしたものが知られている（例えば、特許文献１参照。）。
【特許文献１】特開平１０−１４８３９０号公報
【発明の開示】
【発明が解決しようとする課題】
【０００３】
このような天井埋込型空気調和装置においては、安定した昇降動作を実現するとともに、仮に吊りロープが損傷したとしても、吸込みグリルが激しく揺動したり脱落したりしないようにすることが望ましい。
【０００４】
そこで、本発明は、吊りロープを介して吸込みグリルを昇降可能な天井埋込型空気調和装置において、吊りロープに損傷を生じた場合の吸込みグリルの動きを抑えるとともに、脱落を確実に防止することを目的とする。
【課題を解決するための手段】
【０００５】
上記課題を解決するため、本発明は、熱交換器、及び送風機が収納された本体に化粧パネルを設け、この化粧パネルには昇降装置により巻き取り・繰り出しされる吊りロープを介して昇降可能に吸込みグリルを設けた天井埋込型空気調和装置において、前記吸込みグリルの長手方向の一側縁及び他側縁に沿ってそれぞれ前記吊りロープを案内するロープガイドを設け、前記一側縁に設けた複数のロープガイドに前記昇降装置から延びる前記吊りロープの一方をループ状に掛け渡し、前記他側縁に設けた複数のロープガイドに前記昇降装置から延びる前記吊りロープの他方をループ状に掛け渡したことを特徴としている。
【０００６】
ここで、吸込みグリルとは、それ自体に空気を通す複数の孔が形成されたものに限定されない。すなわち、それ自体には孔が形成されておらず、上端位置まで上昇した場合において側方に空気を通す空間を形成する、パネル形状のもの等を含む。また、吊りロープは、吸込みグリルの昇降に要する強度を有するものであればよく、いわゆるロープに加え、一本の糸からなるものや、複数の糸を編んだ紐等を含む。
【０００７】
本発明において、前記ロープガイドは、前記昇降装置から下方に延びる前記吊りロープを略直角に方向を変えて前記吸込みグリルの短手方向内側に案内する第１の湾曲部と、この第１の湾曲部に沿って案内された前記吊りロープを再び略直角に方向を変えて前記吸込みグリルの長手方向内側に案内する第２の湾曲部とを備える構成としてもよい。
【０００８】
また、本発明において、前記第１の湾曲部に案内された前記吊りロープの下方へのずれを規制する下ガイドを備えた構成としてもよい。
【０００９】
また、本発明において、前記第２の湾曲部に案内された前記吊りロープの上方へのずれを規制する上ガイドを備えた構成としてもよい。
【００１０】
さらに、本発明において、前記第１の湾曲部に吊りロープ案内溝を設けた構成としてもよい。
【００１１】
さらにまた、本発明において、前記ループ状に掛け渡された吊りロープのそれぞれは、２本の吊りロープを、スプリングを介して連結して構成されているものとしてもよい。
【発明の効果】
【００１２】
本発明によれば、昇降装置により巻き取り・繰り出しされる吊りロープを介して昇降可能に吸込みグリルを設けた天井埋込型空気調和装置において、吸込みグリルの長手方向の一側縁に設けた複数のロープガイドに吊りロープの一方をループ状に掛け渡し、他側縁に設けた複数のロープガイドに吊りロープの他方をループ状に掛け渡した構成により、吸込みグリルは、その長手方向に延びる２つのループによって吊持される。これにより、仮に吊りロープが損傷して一方のループによる吊持が外れた場合、センターパネル１７は、損傷のない側のループを中心として極めて小さい範囲でのみ回動または揺動し、その後に損傷のない側のループに吊持されて静止する。従って、吊りロープが損傷した場合の吸込みグリルの動きを最小限に抑えることができ、センターパネル１７の脱落を防止できる。
【発明を実施するための最良の形態】
【００１３】
以下、図面を参照しつつ本発明の実施の形態について説明する。
図１は、本発明を適用した第１の実施の形態に係る天井埋込型空気調和装置の構成を示す斜視図である。
天井埋込型空気調和装置の本体１の下端には、両端に吹出口７を有する化粧パネル９が固定される。化粧パネル９の中央は略矩形に開口し、この中央開口内に熱交換器３及び送風機５等が収容される。また、化粧パネル９の中央開口には、両側に吸込口１５としての空間を残すように、センターパネル１７が上記中央開口を塞ぐよう設けられる。
【００１４】
図１及び図２に示すように、センターパネル１７には、吸込空気を浄化するフィルタ１３が支持され、これらは一体となって、四本の吊りロープ１９Ａ、１９Ｂ、１９Ｃ、１９Ｄを介して昇降自在に吊持されている。
また、化粧パネル９の中央開口内には昇降装置２３が配設される。昇降装置２３は、横長の外装ケースを有し、この外装ケースの短手方向と中央開口の長手方向とが略一致する向きに取り付けられる。昇降装置２３は、吊りロープ１９Ａ、１９Ｂ、１９Ｃ、１９Ｄの巻き取り動作及び繰り出し動作を行い、センターパネル１７を昇降させる。
【００１５】
図２に示すように、センターパネル１７が化粧パネル９の中央開口に収納された状態で、センターパネル１７の両側に形成される吸込口１５から、図２中に矢印で示すように室内の空気が吸い込まれる。すると、この空気はフィルタ１３を通って浄化され、送風機５に吸い込まれて吐出され、熱交換器３を通って熱交換された後、化粧パネル９の両端の吹出口７から室内へ吐出される。
【００１６】
なお、本実施の形態に係る天井埋込型空気調和装置は、その表面に空気を通すための孔を有しないセンターパネル１７を昇降させるものであるが、上述のように吸込口１５を形成することにより、いわゆる吸込みグリルと同等に機能する。すなわち、本実施の形態では、本発明の吸込みグリルの一態様としてセンターパネル１７を用いた場合を例示する。
【００１７】
図３に示すように、昇降装置２３は、本体１の長手方向の一端部に寄った位置において、内パネル１０の上に載せられて固定される。内パネル１０は、本体１が有する中央開口において下側に露出するパネルである。
昇降装置２３は、略箱形の外装ケースを有し、この外装ケースの短手方向と中央開口の長手方向とが略一致する向きで、内パネル１０にビス止め等により固定される。
【００１８】
昇降装置２３からは吊りロープ１９Ａ、１９Ｂ、１９Ｃ、１９Ｄが引き出され、センターパネル１７を吊持する。４本の吊りロープ１９Ａ、１９Ｂ、１９Ｃ、１９Ｄは、いずれも昇降装置２３の一側面より引き出されて略水平に案内された後、内パネル１０に取り付けられた上ロープガイド２２に巻き掛けられる。
【００１９】
上ロープガイド２２は、昇降装置２３から略水平に案内された吊りロープ１９Ａ、１９Ｂ、１９Ｃ、１９Ｄの向きを略直角に変え、内パネル１０に穿設された孔（図示略）を通して下方へ案内する。
【００２０】
上ロープガイド２２によって下方に案内された吊りロープ１９Ａ、１９Ｂ、１９Ｃ、１９Ｄは、センターパネル１７に取り付けられたロープガイドとしての下ロープガイド３０、４０に係合する。
下ロープガイド３０、４０は、センターパネル１７の四つのコーナー部に取り付けられ、後述するように、上ロープガイド２２から下方に引き出された吊りロープ１９Ａ、１９Ｂ、１９Ｃ、１９Ｄを、略直角に向きを変えてセンターパネル１７の短手方向内側に案内し、さらに、略直角に向きを変えてセンターパネル１７の長手方向内側に案内する。
【００２１】
ここで、下ロープガイド３０と下ロープガイド４０とは、左右対称に形成されて鏡像をなす。下ロープガイド３０は、上から見て反時計回りに吊りロープを案内する曲面を有する。これとは反対に、下ロープガイド４０は、上から見て時計回りに吊りロープを案内する曲面を有する。
【００２２】
図３に示すように、吊りロープ１９Ａ、１９Ｄは、センターパネル１７の短手方向内側へ案内された後、下ロープガイド３０の曲面に沿って、上から見て反時計回りに向きを変え、センターパネル１７の長手方向内側へ案内される。このため、吊りロープ１９Ａ、１９Ｄは下ロープガイド３０に巻き掛けられる。
一方、吊りロープ１９Ｂ、１９Ｃは、センターパネル１７の短手方向内側へ案内された後、下ロープガイド４０の曲面に沿って、上から見て時計回りに向きを変え、センターパネル１７の長手方向内側へ案内される。このため、吊りロープ１９Ｂ、１９Ｃは下ロープガイド４０に巻き掛けられる。
【００２３】
このように、センターパネル１７の四つのコーナー部には２個の下ロープガイド３０と２個の下ロープガイド４０とが配設され、２個の下ロープガイド３０は、センターパネル１７の対角に位置し、２個の下ロープガイド４０はセンターパネル１７の対角に位置する。
そして、センターパネル１７の長手方向の両側縁においては、下ロープガイド３０と下ロープガイド４０とが対をなす。
【００２４】
センターパネル１７の一側縁において、一対の下ロープガイド３０、４０に巻き掛けられた吊りロープ１９Ａと吊りロープ１９Ｃとは、スプリング２１を介して連結され、この吊りロープ１９Ａと吊りロープ１９Ｃにより一つのループが形成される。
また、センターパネル１７の他側縁において、一対の下ロープガイド３０、４０に巻き掛けられた吊りロープ１９Ｂと吊りロープ１９Ｄとは、スプリング２１を介して連結されて一つのループを形成する。
【００２５】
このように、センターパネル１７は、吊りロープ１９Ａ、１９Ｃが形成するループと、吊りロープ１９Ｂ、１９Ｄとが形成するループとによって吊持される。従って、仮に一方のループを構成する吊りロープが切れたとしても、センターパネル１７はもう一方のループによって吊持された状態を保ち、脱落しない。この場合、センターパネル１７は、異常がない側のループを中心として回転・揺動する可能性があるが、その回転半径はセンターパネル１７の短手方向のサイズ以下であるため、センターパネル１７が動く範囲は最小限に抑えられる。
【００２６】
さらに、吊りロープ１９Ａ、１９Ｂ、１９Ｃ、１９Ｄのいずれかが切れた場合、切れた吊りロープにスプリング２１を介して連結された吊りロープの端部が解放されてしまうが、当該吊りロープは依然としてセンターパネル１７を吊持することが可能である。例えば、吊りロープ１９Ａが切れた場合、吊りロープ１９Ａに連結された吊りロープ１９Ｃがスプリング２１とともに固定を失って移動するが、スプリング２１又は吊りロープ１９Ｃとスプリング２１との連結部分が下ロープガイド４０に引っ掛かり、下ロープガイド４０と吊りロープ１９Ｃとが固定される。つまり、吊りロープ１９Ａ、１９Ｂ、１９Ｃ、１９Ｄのいずれか１本が切れたとしても、センターパネル１７は他の３本の吊りロープにより吊持され、最小限の回転・揺動をするだけで速やかに静止する。
【００２７】
すなわち、仮に吊りロープ１９Ａ、１９Ｂ、１９Ｃ、１９Ｄに損傷を生じたとしても、センターパネル１７は最小限の揺動をするだけで、他の吊りロープによって吊持されて安定する。このように、本実施の形態に係る天井埋込型空気調和装置は、吊りロープ１９Ａ、１９Ｂ、１９Ｃ、１９Ｄの損傷という極めて希な事態にも対応可能な構造を備えるので、高い信頼性を有する。
【００２８】
また、スプリング２１を介して２本の吊りロープを連結すると、センターパネル１７の上昇時に、センターパネル１７及びフィルタ１３を水平な状態で吊り上げ、化粧パネル９の中央開口に確実に収容できるという利点がある。すなわち、センターパネル１７が長手方向に傾いて化粧パネル９の中央開口に収納される場合、センターパネル１７の傾きにより上方側となった吊りロープに対して昇降駆動装置２３から巻き取り力が作用し、この巻き取り力によりスプリング２１が伸長する。スプリング２１が伸長されることで、センターパネル１７の傾きにより下方側となった吊りロープが巻き取られる。この動作により、センターパネル１７の傾きが徐々に解消され、センターパネル１７及びフィルタ１３が、水平状態で化粧パネル９の中央開口内に収納される。
【００２９】
ここで、下ロープガイド３０、４０の構成について詳細に説明する。
上述のように、下ロープガイド３０と下ロープガイド４０とは鏡像をなしているので、ここでは吊りロープ１９Ａが巻き掛けられる下ロープガイド３０を挙げ、その構成を詳細に説明する。
【００３０】
図４は、下ロープガイド３０の構成を示す斜視図であり、図５は右側面図、図６は左側面図、図７は上面図、図８は背面図である。図５〜図８には、理解の便宜を図るため、吊りロープ１９Ａを図示する。
【００３１】
下ロープガイド３０には、その前面から下方に向けて略直角のＲを有する第１の湾曲部としての第１曲面３１が配され、第１曲面３１の奥には下ガイド３２が配設される。上ロープガイド２２から下方に引き出された吊りロープ１９Ａは、第１曲面３１を這って進む間に、略鉛直から略水平に、略直角に向きを変えて下ロープガイド３０の奥側へ案内される。第１曲面３１には、ほぼ上端から下端にわたって、幅方向略中央に断面Ｕ字状の吊りロープ案内溝３１Ａが形成され、この吊りロープ案内溝３１Ａに吊りロープ１９Ａが嵌合可能である。
下ガイド３２は、上方が開放したスリット３２Ａを有し、スリット３２Ａの下端には案内面３２Ｂが形成される。案内面３２Ｂは、第１曲面３１により案内された吊りロープ１９Ａを下方から支持する面であり、下ロープガイド３０の奥に向かうに従って下降する斜面となっている。第１曲面３１により案内された吊りロープ１９Ａは、この案内面３２Ｂの上を這って奥へ引き出される。
【００３２】
下ガイド３２の側方には柱部３３が配設され、この柱部３３の側面は略直角のＲを有する第２の湾曲部としての第２曲面３３Ａとなっている。案内面３２Ｂを這った吊りロープ１９Ａは、第２曲面３３Ａに巻き回され、上方から見て反時計回りに、略直角に向きを変えて案内される。
第２曲面３３Ａの終端部には、下方のみ開放したスリット３４Ａを形成する上ガイド３４が配設される。上ガイド３４によって、第２曲面３３Ａに沿って案内された吊りロープ１９Ａが、上方及び第２曲面３３Ａから離れる方向へ外れないよう規制される。さらに、スリット３４Ａの先においては、外れ止め部３５が下方に位置して、スリット３４Ａを通った吊りロープ１９Ａが下方に外れないよう規制する。
【００３３】
このように、上ロープガイド２２から下方に引き出された吊りロープ１９Ａは、下ロープガイド３０において、まず第１曲面３１に沿って略直角に向きを変え、続いて案内面３２Ｂに当接しつつ斜め下方に引き出される。続いて吊りロープ１９Ａは、柱部３３の第２曲面３３Ａに沿って略直角に向きを変え、上ガイド３４のスリット３４Ａを通り、さらに外れ止め部３５の上を通って引き出される。ここで、スリット３４Ａを通る際に吊りロープ１９Ａの高さ位置が制限されるため、吊りロープ１９Ａは、第２曲面３３Ａに沿って向きを変えつつ下方に進む。
【００３４】
また、第１曲面３１の終端と下ガイド３２との間には、上方及び側方に開放された差入口３６が形成され、この差入口３６から吊りロープ１９Ａを差し入れることで、吊りロープ１９Ａを、第１曲面３１に下側から接し、案内面３２Ｂに上から接する位置にセットすることができる。
さらに、上ガイド３４の終端と外れ止め部３５との間は離隔されて差入口３７をなしており、外れ止め部３５の端部はスリット３４Ａから外れた位置において上方へ立ち上がる。このため、外れ止め部３５の立ち上がりの上を跨ぐように、差入口３７から吊りロープ１９Ａを差し入れることにより、吊りロープ１９Ａを、上ガイド３４の下を通り、かつ外れ止め部３５の上を通る位置にセットすることができる。
このため、下ロープガイド３０に吊りロープ１９Ａをセットする場合には、吊りロープ１９Ａの先端部を孔に通すといった作業は必要なく、図３に示したように吊りロープ１９Ａの端部をスプリング２１に連結した後であっても、下ロープガイド３０にセットできる。
【００３５】
さらに、下ロープガイド３０は、上記のように吊りロープ１９Ａを容易にセットできるものでありながら、一旦セットされた吊りロープ１９Ａを、上下方向及び水平方向に移動しないよう規制する構成を有する。このため、吊りロープ１９Ａが下ロープガイド３０に巻き掛けられた状態において、吊りロープ１９Ａが下ロープガイド３０から脱落することはなく、高い信頼性を確保できる。
【００３６】
そして、吊りロープ１９Ａは、第１曲面３１と案内面３２Ｂとによって上下に規制されるので、センターパネル１７の短手方向内側に向けて確実に向きを変えて案内される。さらに、吊りロープ１９Ａは第２曲面３３Ａに沿って進むよう上ガイド３４によって規制されるとともに、上ガイド３４と外れ止め部３５とによって上下に規制されるので、センターパネル１７の長手方向内側に向けて確実に向きを変えて案内される。
【００３７】
下ロープガイド３０は、ビス穴３９が穿設された脚部３８を有し、このビス穴３９をセンターパネル１７にビス止めすることによって確実に固定される。
【００３８】
ここで、上述した下ロープガイド３０による作用及び効果は、下ロープガイド３０に吊りロープ１９Ｃを巻き掛けた場合にも全く同様である。
【００３９】
また、図９に示す下ロープガイド４０は、上述した下ロープガイド３０と鏡像に構成され、第１曲面３１、下ガイド３２、柱部３３、上ガイド３４、及び外れ止め部３５の各部を有する。下ロープガイド４０における下ガイド３２と柱部３３との位置関係が、下ロープガイド３０における下ガイド３２と柱部３３との位置関係の逆になっており、第２曲面３３Ａによって、吊りロープが上方から見て時計回りに向きを変えて案内される点を除き、下ロープガイド４０の構成及び作用は下ロープガイド３０と同様である。
従って、下ロープガイド４０に吊りロープ１９Ｂ、１９Ｄを巻き掛けた場合には、上述した下ロープガイド３０による作用及び効果が全く同様に現れる。
【００４０】
従って、センターパネル１７に下ロープガイド３０、４０を設けることにより、昇降装置２３から引き出された吊りロープ１９Ａ、１９Ｂ、１９Ｃ、１９Ｄを、センターパネル１７の短手方向内側へ向けて案内し、さらにセンターパネル１７の長手方向内側へ案内することが可能となる。
【００４１】
なお、上述した実施の形態は、本発明の一実施態様を示すものであり、本発明はこれに限定されるものではない。例えば、上記実施の形態に係る天井埋込型空気調和装置は、２つの吹出口７を有する二方向型の空気調和装置としたが、１つの吹出口を有する一方向側の空気調和装置や、４つの吹出口を有する四方向型の空気調和装置においても本発明を適用可能である。また、上記第実施の形態に係る天井埋込型空気調和装置は、化粧パネル９の中央開口を塞ぎつつ、その側方に吸込み口を形成するセンターパネル１７を昇降させるものとしたが、センターパネル１７に代えて、格子孔を有する吸込グリルを用いることも勿論可能である。さらに、化粧パネル９、内パネル１０及びセンターパネル１７は、樹脂製或いは板金製とすることができ、樹脂と板金とを組み合わせて構成することも可能であり、その他の細部構成等についても任意に変更可能である。
【図面の簡単な説明】
【００４２】
【図１】本発明を適用した実施の形態に係る天井埋込型空気調和装置の概略構成を示す斜視図である。
【図２】天井埋込型空気調和装置の本体の横断面図である。
【図３】センターパネルの吊り下げ状態を示す要部斜視図である。
【図４】下ロープガイドの構成を示す斜視図である。
【図５】下ロープガイドの右側面図である。
【図６】下ロープガイドの左側面図である。
【図７】下ロープガイドの上面図である。
【図８】下ロープガイドの背面図である。
【図９】下ロープガイドの構成を示す斜視図である。
【符号の説明】
【００４３】
１  本体
１  本体
９  化粧パネル
１０  内パネル
１３  フィルタ
１７  センターパネル（吸込みグリル）
１９Ａ、１９Ｂ、１９Ｃ、１９Ｄ  吊りロープ
２１  スプリング
２２  上ロープガイド
２３  昇降装置
３０、４０  下ロープガイド（ロープガイド）
３１  第１曲面（第１の湾曲部）
３１Ａ  吊りロープ案内溝
３２  下ガイド
３２Ａ  スリット
３２Ｂ  案内面
３３  柱部
３３Ａ  第２曲面（第２の湾曲部）
３４  上ガイド
３４Ａ  スリット
３５  外れ止め部
３６、３７  差入口
【図１】
2007093050.tif 000003
【図２】
2007093050.tif 000004
【図３】
2007093050.tif 000005
【図４】
2007093050.tif 000006
【図５】
2007093050.tif 000007
【図６】
2007093050.tif 000008
【図７】
2007093050.tif 000009
【図８】
2007093050.tif 000010
【図９】
2007093050.tif 000011